(57)【特許請求の範囲】
【請求項１】
仮設トイレの排水設備として使用される仮設トイレシステムに用いられる、合成樹脂製の汚水桝であって、
外周面に複数のリブが形成される横管部、および
前記横管部の頂部から上方に延びるように当該横管部と一体的に形成される立上り管部を備え、
前記立上り管部は、所望位置で切断することによって当該立上り管部の軸方向長さを調整可能な切断可能部を有し、
前記切断可能部は、最下位置から最上位置までの全長に亘って同径であるプレーン管状に形成される部分であって、前記立上り管部のうち、プレーン管状ではない基端部の上部から先端に至るまでの全範囲を占めており、
前記切断可能部の最下位置は、前記横管部の天頂位置から長くても１００ｍｍまでの高さ位置とされる、汚水桝。
【請求項２】
仮設トイレの排水設備として使用される仮設トイレシステムであって、
外周面に複数のリブが形成される横管部と前記横管部の頂部から上方に延びるように当該横管部と一体的に形成される立上り管部とを有し、予め定めた便器の設置位置の地中に埋設される合成樹脂製の複数の汚水桝、
所定の勾配で配設され、前記複数の汚水桝と公共桝とを接続するリブ付排水管、および
最下流の前記汚水桝と前記公共桝との間において前記リブ付排水管に設けられる高さ調整桝を備え、
前記汚水桝の前記立上り管部は、最下位置が前記横管部の天頂位置から長くても１００ｍｍまでの高さ位置とされる切断可能部を有し、
前記汚水桝は、前記切断可能部を所望位置で切断することによって、前記立上り管部の軸方向長さを調整した状態で地中に埋設される、仮設トイレシステム。
【発明の詳細な説明】
【技術分野】
【０００１】
この発明は、汚水桝および仮設トイレシステムに関し、特にたとえば、仮設トイレの排水設備として使用される仮設トイレシステムに用いられる、汚水桝およびこれを備える仮設トイレシステムに関する。
【背景技術】
【０００２】
近年、地震等の災害が発生した際に避難場所となる学校や公園などに対して、災害時に便器が取り付けられることによって、仮設トイレの排水設備として使用される仮設トイレシステムを予め施工しておく計画が進められている。
【０００３】
たとえば、特許文献１には、従来の仮設トイレシステムの一例が開示される。特許文献１の仮設トイレシステムは、複数のマンホール（汚水桝）、およびそれらを接続する第１排水管を備える。このマンホールは、第１接続管に接続される接続部（横管部）と、その頂部に形成されるゴム輪受口とを有する。そして、このゴム輪受口には、長さ調整および面取り加工を施した縦管がゴム輪接合される。
【０００４】
また、第１排水管の下流側には、槽（排水貯留槽）が接続されており、この槽は、第２排水管を介して下水本管と接続される。槽の内部には、第１排水管と第２排水管とを取り外し可能に繋ぐ接続管が配設されており、下水本管が使用可能なときには、この接続管を介して第１排水管と第２排水管とを連通させておくことで、排水を下水本管に排出する。一方、下水本管が使用できないときには、第１排水管および第２排水管から接続管を取り外すことで、排水を槽の内部に排出して一時的に貯留する。
【先行技術文献】
【特許文献】
【０００５】
【特許文献１】特開２０１４−２９３号公報
【発明の概要】
【発明が解決しようとする課題】
【０００６】
上述のような仮設トイレシステムの施工計画は進んでいるものの、災害時に使用できる仮設トイレの絶対数は足りていないのが現状である。そこで、学校や公園などの限られた場所だけでなく、ホテル、店舗、団地およびマンション等の宅地内の空きスペース（建物間の隙間など）も有効利用して、仮設トイレシステムを設置したいという要望がある。
【０００７】
ここで、施工の手間およびコスト等を考慮すると、排水管の埋設深さは、条例などで定められる配管規定を満たす範囲内で浅くすることが好ましい。しかしながら、特許文献１の技術は、排水管の土被りが５００ｍｍ以上となる場合を対象としており、排水管の土被りを２５０―５００ｍｍ程度の浅埋設とすることについては、考慮されていない。
【０００８】
また、特許文献１の技術では、ゴム輪受口に対して縦管を接続する作業が必要となるが、この作業には、縦管を所望長さに切断する切断作業、ゴム輪接合を適切に行うための縦管端部の面取り作業、およびゴム輪受口と縦管とをゴム輪接合する接続作業が含まれるので、手間がかかる。
【０００９】
さらに、宅地内の空きスペースでは、排水貯留槽を設置するスペースを確保できない場合があるため、排水貯留槽を設けずに、排水管から公共桝に直接排水する公共桝直結型の仮設トイレシステムが望ましい場合がある。
【００１０】
それゆえに、この発明の主たる目的は、新規な、汚水桝および仮設トイレシステムを提供することである。
【００１１】
この発明の他の目的は、排水管を浅埋設とした仮設トイレシステムを構築でき、かつ施工が容易な、汚水桝およびこれを備える仮設トイレシステムを提供することである。
【課題を解決するための手段】
【００１２】
第１の発明は、仮設トイレの排水設備として使用される仮設トイレシステムに用いられる、合成樹脂製の汚水桝であって、外周面に複数のリブが形成される横管部、および横管部の頂部から上方に延びるように当該横管部と一体的に形成される立上り管部を備え、立上り管部は、所望位置で切断することによって当該立上り管部の軸方向長さを調整可能な切断可能部を有し、切断可能部は、最下位置から最上位置までの全長に亘って同径であるプレーン管状に形成される部分であって、立上り管部のうち、プレーン管状ではない基端部の上部から先端に至るまでの全範囲を占めており、切断可能部の最下位置は、横管部の天頂位置から長くても１００ｍｍまでの高さ位置とされる、汚水桝である。
【００１３】
第１の発明では、汚水桝は、団地およびマンション等の宅地内などに予め施工される仮設トイレシステムに用いられる。汚水桝は、合成樹脂製であって、外周面に複数のリブが形成される横管部と、横管部の頂部に一体的に形成される立上り管部とを備える。立上り管部には、所望位置で切断することによって立上り管部の長さを調整可能な切断可能部が形成される。この切断可能部の最下位置は、横管部の天頂位置から長くても１００ｍｍまでの高さ位置とされる。すなわち、立上り管部の突出長さは、切断することによって１００ｍｍ以内に調整できるようにされる。また、汚水桝の上方には防護蓋が設けられるが、この防護蓋の高さは１５０ｍｍであり、汚水桝の立上り管部がその下になるように設置される。したがって、立上り管部の切断可能部の最下位置を、横管部の天頂位置から長くても１００ｍｍまでの高さ位置とすることによって、汚水桝の横管部は、土被りが２５０ｍｍである浅埋設の排水管にも接続可能となる。
【００１４】
第１の発明によれば、汚水桝の立上り管部に切断可能部を設けたので、立上り管部の軸方向長さを調整する作業が容易となる。また、切断可能部の最下位置を、横管部の天頂位置から長くても１００ｍｍまでの高さ位置とするので、土被りが２５０ｍｍである浅埋設の排水管にも汚水桝を適切に接続できるようになる。したがって、排水管を浅埋設とした仮設トイレシステムを容易に構築でき、仮設トイレを設置可能な場所を増やすことができる。
【００１５】
第２の発明は、仮設トイレの排水設備として使用される仮設トイレシステムであって、外周面に複数のリブが形成される横管部と横管部の頂部から上方に延びるように当該横管部と一体的に形成される立上り管部とを有し、予め定めた便器の設置位置の地中に埋設される合成樹脂製の複数の汚水桝、所定の勾配で配設され、複数の汚水桝と公共桝とを接続するリブ付排水管、および最下流の汚水桝と公共桝との間においてリブ付排水管に設けられる高さ調整桝を備え、汚水桝の立上り管部は、最下位置が横管部の天頂位置から長くても１００ｍｍまでの高さ位置とされる切断可能部を有し、汚水桝は、切断可能部を所望位置で切断することによって、立上り管部の軸方向長さを調整した状態で地中に埋設される、仮設トイレシステムである。
【００１６】
第２の発明では、仮設トイレシステムは、団地およびマンション等の宅地内などに予め施工され、仮設トイレの排水設備として使用される。仮設トイレシステムは、合成樹脂製の複数の汚水桝、複数の汚水桝と公共桝とを接続するリブ付排水管、および最下流の汚水桝と公共桝との間においてリブ付排水管に設けられる高さ調整桝などを備える。汚水桝は、外周面に複数のリブが形成される横管部と、横管部の頂部に一体的に形成される立上り管部とを備える。この立上り管部は、その最下位置が横管部の天頂位置から長くても１００ｍｍまでの高さ位置とされる切断可能部を有する。すなわち、立上り管部の突出長さは、切断することによって１００ｍｍ以内に調整できるようにされている。そして、汚水桝は、切断可能部を所望位置で切断することによって、立上り管部の長さを調整した状態で地中に埋設される。
【００１７】
第２の発明によれば、第１の発明と同様に、汚水桝の立上り管部に切断可能部を設けたので、立上り管部の軸方向長さを調整する作業が容易となる。また、切断可能部の最下位置を、横管部の天頂位置から長くても１００ｍｍまでの高さ位置とするので、土被りが２５０ｍｍである浅埋設の排水管にも汚水桝を適切に接続できるようになる。したがって、排水管を浅埋設とした仮設トイレシステムを容易に構築でき、仮設トイレを設置可能な場所を増やすことができる。
【００１８】
また、最下流の汚水桝と公共桝との間において、排水管に対して高さ調整桝を設けるので、排水管を浅埋設にしても、大きなスペースを要することなく、排水管と公共桝とを適切に接続できる。
【発明の効果】
【００１９】
この発明によれば、汚水桝の立上り管部に切断可能部を設けたので、立上り管部の軸方向長さを調整する作業が容易となる。また、切断可能部の最下位置を、横管部の天頂位置から長くても１００ｍｍまでの高さ位置とするので、土被りが２５０ｍｍである浅埋設の排水管にも汚水桝を適切に接続できるようになる。したがって、排水管を浅埋設とした仮設トイレシステムを容易に構築でき、仮設トイレを設置可能な場所を増やすことができる。
【００２０】
この発明の上述の目的，その他の目的，特徴および利点は、図面を参照して行う以下の実施例の詳細な説明から一層明らかとなろう。
【図面の簡単な説明】
【００２１】
【図１】この発明の一実施例である仮設トイレシステムを示す図解図である。
【図２】図１の仮設トイレシステムを上方から見た様子を示す図解図である。
【図３】図１の仮設トイレシステムが備える汚水桝を示す正面図である。
【図４】図３の汚水桝を示す断面図である。
【図５】図１の仮設トイレシステムの最上流側の汚水桝部分を示す図解図である。
【図６】図１の仮設トイレシステムの高さ調整桝部分を示す図解図である。
【図７】この発明の他の実施例である仮設トイレシステムを示す図解図である。
【図８】この発明のさらに他の実施例である仮設トイレシステムの最上流側の汚水桝部分を示す図解図である。
【図９】汚水桝の他の実施例を示す正面図である。
【図１０】図９の汚水桝を示す断面図である。
【発明を実施するための形態】
【００２２】
図１および図２を参照して、この発明の一実施例である仮設トイレシステム１０（以下、単に「システム１０」という。）は、複数の汚水桝１２、排水管１４および高さ調整桝１６などを備え、ホテル、店舗、団地およびマンション等の宅地内の空きスペース（建物間の隙間など）に予め施工される。そして、災害時には、所定位置に便器１００および仮設小屋１０２が取り付けられることによって、仮設トイレの排水設備として使用される。
【００２３】
詳細は後述するように、システム１０は、排水貯留槽を設けることなく、排水管１４から公共桝１０４（延いては下水本管１０６）に対して直接排水する公共桝直結タイプの仮設トイレシステムであって、排水管１４の土被り（天頂までの埋設深さ）が２５０―５００ｍｍ程度の浅埋設とされるものである。以下、システム１０の構成について説明する。
【００２４】
図１および図２に示すように、複数の汚水桝１２は、予め定めた便器１００の設置位置に対応させて地中に埋設される。この実施例では、５基の汚水桝１２がたとえば１５００ｍｍ毎に直線状に並んで配置される。汚水桝１２の具体的構成については後述する。
【００２５】
排水管１４は、汚水桝１２同士を連結し、たとえば１８ｍｍ／１０００ｍｍの所定の下り勾配で配設される。排水管１４は、その外周面に複数のリブ１４ａが形成されたリブ付管（リブ付排水管）であって、硬質塩化ビニル等の合成樹脂によって形成される。リブ１４ａのそれぞれは、環状に形成されて、排水管１４の軸方向に所定間隔で並ぶように配置される。排水管１４の内径は、たとえば１５０ｍｍである。また、この実施例では、排水管１４の土被りは、最上流部分（給水タンク１８との接続部分）で約２５０ｍｍであり、最下流の汚水桝１２との接続部分で約３８５ｍｍであり、最下流部分（公共桝１０４との接続部分）で約８００ｍｍである。
【００２６】
排水管１４の下流側端部は、下水本管１０６に繋がる公共桝１０４に接続される。つまり、排水管１４は、複数の汚水桝１２と公共桝１０４とを接続する。また、排水管１４には、最下流の汚水桝１２と公共桝１０４との間の管路部分において、後述する高さ調整桝１６が設けられる。
【００２７】
一方、排水管１４の上流側端部には、排水管１４内に洗浄用水を送り込むための給水タンク１８が設けられる。給水タンク１８は、硬質塩化ビニル等の合成樹脂によって有底円筒状に形成され、その上端開口部には、内蓋が着脱可能に装着される。給水タンク１８の側壁下端部には、排水管１４の上流側端部と接続される流出口１８ａが形成され、この流出口１８ａには、ゲート弁（図示せず）が設けられる。給水タンク１８内に供給された水は、ゲート弁を開くことによって、流出口１８ａから排水管１４内に洗浄用水として流される。ただし、ゲート弁は必ずしも設ける必要はなく、給水タンク１８内に供給された水がそのまま、流出口１８ａから排水管１４内に供給されるようにしてもよい。また、給水タンク１８の形状等は、適宜変更可能である。
【００２８】
また、汚水桝１２、高さ調整桝１６および給水タンク１８の上端部のそれぞれを囲むように、合成樹脂製の台座５０が埋設される。この台座５０には、受枠５２および鉄蓋５４等で構成される防護蓋が載置される。すなわち、台座５０には、略円筒状の鉄製の受枠５２が載置され、この受枠５２の上端開口部には、鉄蓋５４が着脱可能に設けられる。鉄蓋５４の上面は、地表面に臨んでおり、この鉄蓋５４を取り外すことによって、汚水桝１２、高さ調整桝１６および給水タンク１８の上端部のそれぞれが外部に露出する。受枠５２および鉄蓋５４を含む防護蓋の高さ（上下方向の長さ）は、たとえば１５０ｍｍである。
【００２９】
続いて、汚水桝１２の構成について具体的に説明する。図３および図４に示すように、汚水桝１２は、横管部２０および立上り管部２２を備え、硬質塩化ビニル等の合成樹脂によって形成される。
【００３０】
汚水桝１２の横管部２０は、横方向に直線状に延びるように形成される。この横管部２０の外周面には、周方向に延びる複数のリブ２４が軸方向に所定間隔で並ぶように形成される。また、横管部２０の軸方向中央部分の底部には、矩形枠状の突起である２つの脚部２６が設けられる。さらに、横管部２０の一方端部には、流入側の管接続部（流入口）である拡径受口２８が形成され、横管部２０の他端部には、流出側の管接続部（流出口）である差口３０が形成される。この差口３０の先端側の外周面には、ゴム輪３２が装着される。また、差口３０の基端側の外周面には、差口３０の挿入深さの目安となる標線３４が設けられる。そして、拡径受口２８および差口３０のそれぞれには、排水管１４がゴム輪接合され、横管部２０は、排水管１４と共に汚水を流すための排水管路を構成する。
【００３１】
汚水桝１２の立上り管部２２は、横管部２０の軸方向中央部分の頂部から上方に延びるように、横管部２０と一体的に形成される。立上り管部２２の内径は、たとえば３００ｍｍである。
【００３２】
このような汚水桝１２のそれぞれは、鉄蓋７２および受枠７４を含む防護蓋の下に、つまり立上り管部２２の上端が地表面からたとえば１５０ｍｍの高さ位置となるように、地中に埋設される。一方で、横管部２０の埋設深さは、横管部２０に接続される排水管１４が所定の下り勾配で配設されるため、下流側になるほど深くなる。すなわち、汚水桝１２の高さ寸法は、配置位置（横管部２０の埋設深さ）によって異なる。
【００３３】
この点については、従来の仮設トイレシステムに用いられる汚水桝では、汚水桝の頂部にゴム輪受口を形成し、このゴム輪受口に対して長さ調整した縦管をゴム輪接合することによって、立上り管部分の軸方向長さを調整することで対応していた。しかしながら、汚水桝のゴム輪受口に対して縦管を接続する作業には、縦管を所望長さに切断する切断作業、ゴム輪接合を適切に行うための縦管端部の面取り作業、およびゴム輪受口と縦管とをゴム輪接合する接続作業が含まれるので、手間がかかる。また、従来の汚水桝では、ゴム輪受口を設けてゴム輪接合する分だけ、どうしても立て管部分の軸方向長さが長くなってしまう。このため、横管部（排水管との接続部）の埋設深さを浅くすることができず、土被りが２５０―５００ｍｍ程度の浅埋設の排水管に対しては、接続不可となっていた。
【００３４】
そこで、この実施例では、所定長さ（想定される最大長さ）の立上り管部２２を横管部２０に対して一体的に設け、この立上り管部２２に対して、所望位置で切断することによって立上り管部２２の長さを調整可能な切断可能部２２ａを形成するようにしている。これによって、汚水桝１２の高さ寸法（立上り管部２２の軸方向長さ）を調整する際には、切断可能部２２ａを所望位置で切断するだけでよくなるので、この高さ寸法の調整作業が容易となる。
【００３５】
また、切断可能部２２ａの最下位置２２ｂは、横管部２０の天頂位置２０ａから長くても１００ｍｍまでの高さ位置とされる。すなわち、切断可能部２２ａの最下位置２２ｂと横管部２０の天頂位置２０ａとの高低差ｈは、１００ｍｍ以内の大きさとされ、立上り管部２２の突出長さ（横管部２０の天頂位置２０ａから立上り管部２２の上端までの長さ）は、１００ｍｍ以内に調整できるようにされる。ここで、防護蓋の高さは１５０ｍｍであり、汚水桝１２の立上り管部２２がその下になるように設置される。したがって、立上り管部２２の切断可能部２２ａの最下位置２２ｂを、横管部２０の天頂位置２０ａから長くても１００ｍｍまでの高さ位置とすることによって、土被りが２５０ｍｍである浅埋設の排水管１４にも汚水桝１２を接続可能となる。
【００３６】
ここで、切断可能部２２ａとは、立上り管部２２のうち、プレーン管状（直管状）に形成される切断容易な部分であって、切断しても汚水桝１２の機能を阻害しない部分を言う。
【００３７】
具体的には、この実施例の汚水桝１２を製造する際には、横管部２０と短円筒状の立上り管部２２の基端部とが射出成形によって一体成形される。そして、この基端部に対して、一方端に接着受口が形成された片受直管を接着接合することによって、横管部２０と立上り管部２２とが一体化される。立上り管部２２の突出長さは、たとえば３７５ｍｍである。また、この実施例では、接着接合部分を除くプレーン管状の部分が切断可能部２２ａであり、切断可能部２２ａの最下位置２２ｂと横管部２０の天頂位置２０ａとの高低差ｈは、８５ｍｍである。
【００３８】
なお、図示は省略するが、立上り管部２２には、作業者が切断可能部２２ａを容易に識別できるように、切断可能部２２ａの範囲または最下位置２２ｂを示す目印を設けておくこともできる。
【００３９】
上述のような汚水桝１２は、図１および図５に示すように、排水管１４および横管部２０の埋設深さに応じて、切断可能部２２ａを所望位置で切断することによって、立上り管部２２の軸方向長さを調整した状態で地中に埋設される。また、この切断後の立上り管部２２の上端開口部には、合成樹脂製の内蓋５６が装着される。
【００４０】
また、上述のように、横管部２０の拡径受口２８および差口３０のそれぞれには、排水管１４がゴム輪接合される。この際、排水管１４および汚水桝１２の横管部２０の外周面に対してリブ１４ａ,２４が形成されており、排水管１４と横管部２０とによって構成される排水管路が高強度化されていることから、この排水管路を砕石（図示せず）によって埋め戻すことができる。砕石で埋め戻すことによって、地震時における周辺地盤の液状化を抑制することができる。
【００４１】
続いて、高さ調整桝１６の構成について説明する。図１および図６に示すように、高さ調整桝１６は、浅埋設とした排水管１４と公共桝１０４とを適切に接続できるように、排水管１４に段差部を形成して高さ調整する（埋設深さを調整する）ための桝であり、硬質塩化ビニル等の合成樹脂によって形成される。また、この高さ調整桝１６は、点検用の桝としても利用される。
【００４２】
具体的には、高さ調整桝１６は、有底円筒状に形成される桝本体６０を備える。この桝本体６０の内径は、たとえば３００ｍｍである。桝本体６０の上端開口部には、内蓋５６が着脱可能に装着される。また、桝本体６０の下流側の側壁下端部には、排水管１４と接続される流出口６２が設けられ、桝本体６０の上流側の側壁には、排水管１４と接続される流入口６４が設けられる。この流入口６４は、くら型の継手によって構成され、桝本体６０に対する設置高さが変更可能とされる。桝本体６０に流入口６４を設ける際には、所望の高さ位置において桝本体６０の側壁が穿孔され、その穿孔部分に流入口６４が接着接合される。
【００４３】
このような高さ調整桝１６を、最下流の汚水桝１２と公共桝１０４との間に設けておくことによって、排水管１４を浅埋設にしても、大きなスペースを要することなく、排水管１４と公共桝１０４とを適切に接続できる。すなわち、排水管１４の高さ調整は、２つの自在継手などを用いて、排水管１４に対して所定勾配（１８ｍｍ／１０００ｍｍ）よりも勾配の大きい傾斜部を設けることによっても可能であるが、これにはある程度の距離が必要であるため、大きなスペースを要する。これに対して、高さ調整桝１６を用いることにより、省スペース化を図ることができる。
【００４４】
以上のようなシステム１０を、災害が起こる前に予め避難場所の地中に施工しておくことにより、災害が発生した際などに、仮設トイレを早急にしかも簡単に設置することが可能になる。
【００４５】
システム１０を仮設トイレの排水設備として使用する際には、先ず、便器１００および仮設小屋１０２などの備品を、保管庫（図示せず）からシステム１０近傍の地上に搬出する。次に、各汚水桝１２の上方に設けられた鉄蓋５４と、立上り管部２２に装着された内蓋５６とを取り外し、各汚水桝１２の上方に便器１００を据え付ける。また、各便器１００を囲むように仮設小屋１０２を設置する。これによって、仮設トイレが使用可能となる。
【００４６】
また、給水タンク１８内には、給水ポンプ（図示せず）等を用いて洗浄用水を供給しておく。給水タンク１８内に洗浄用水を供給する給水源としては、雨水や水道水などを予め貯水しておいた貯水槽、または井戸などを利用するとよい。たとえば、本願出願人等によって製造販売されている各種の雨水貯留槽（参照；http://www.kubota-ci.co.jp/products/sewage/rain.html）を排水管１４の配管経路に隣接させて設置しておき、雨水貯留槽内に溜まった雨水を給水タンク１８内に供給するとよい。
【００４７】
そして、仮設トイレが使用されて、各便器１００から汚水桝１２内に排出された汚物が溜まってきたときには、給水タンク１８のゲート弁を開いて、給水タンク１８の流出口１８ａから排水管１４内に所定量の洗浄用水を流入させる。なお、給水タンク１８のゲート弁を開くタイミングや給水タンク１８から送り込む洗浄用水の量は、各汚水桝１２内に溜められた汚物を比較的少ない洗浄用水で掃流させることができるように適宜調整する。
【００４８】
給水タンク１８から排水管１４に供給された洗浄用水は、排水管１４および汚水桝１２の横管部２０内を所定の速度で流下し、各汚水桝１２内に溜められた汚物を洗い流しつつ、公共桝１０４に導かれて、公共桝１０４から下水本管１０６に排出される。これによって、仮設トイレを衛生的に使用できる。
【００４９】
以上のように、この実施例によれば、汚水桝１２の立上り管部２２に切断可能部２２ａを設けたので、立上り管部２２の軸方向長さを調整する作業が容易となる。また、切断可能部２２ａの最下位置２２ｂを、横管部２０の天頂位置２０ａから長くても１００ｍｍまでの高さ位置とするので、土被りが２５０ｍｍである浅埋設の排水管１４にも汚水桝１２を適切に接続できるようになる。したがって、排水管１４を浅埋設とした仮設トイレシステムを容易に構築でき、仮設トイレを設置可能な場所を増やすことができる。
【００５０】
また、最下流の汚水桝１２と公共桝１０４との間において、排水管１４に対して高さ調整桝１６を設けたので、排水管１４を浅埋設にしても、大きなスペースを要することなく、排水管１４と公共桝１０４とを適切に接続できる。
【００５１】
なお、上述の実施例では、汚水桝１２の立上り管部２２に内蓋５６を設け、さらに汚水桝１２の上方に、地表面に臨む鉄蓋５４（防護蓋）を設けるようにしたが、鉄蓋５４を省略することもできる。たとえば、図７に示す実施例のように、立上り部２２の上端開口部に略円板状の合成樹脂製の蓋８０を装着し、この蓋８０が地表面に臨むように汚水桝１２を埋設することもできる。災害時において、汚水桝１２の上方に便器１００を据え付ける際には、この蓋８０を取り外すだけでよい。同様に、高さ調整桝１６および給水タンク１８の一方または双方についても、鉄蓋５４を省略するようにしてもよい。このように、鉄蓋５４を省略することによって、排水管１４をさらに浅埋設とすることができる。
【００５２】
また、上述の実施例では、各汚水桝１２の上方に洋式の便器１００を据え付けるようにしたが、和式の便器とすることもできる。たとえば、図８に示す実施例では、汚水桝１２の立上り部２２の上端部を囲むように、鉄製の台座５０が埋設される。この台座５０には、受枠７０、鉄蓋７２および内蓋７４等で構成される防護蓋が載置される。具体的には、台座５０には、略矩形筒状の鉄製の受枠７０が載置される。この受枠７０の下端部は、テーパ状に形成されており、そこに略短円筒形の下端開口部が形成される。また、受枠７０の上端開口部には、ヒンジを介して鉄蓋７２が回動可能に設けられ、受枠７０の下端開口部には、内蓋７４が着脱可能に装着される。受枠７０、鉄蓋７２および内蓋７４を含む防護蓋の高さ（上下方向の長さ）は、たとえば１５０ｍｍである。なお、汚水桝１２の立上り部２２の上端開口部には、蓋は装着されない。
【００５３】
図８に示す実施例のシステム１０を仮設トイレの排水設備として使用する際には、各鉄蓋７２を囲むように仮設小屋１０２を設置する。また、鉄蓋７２を立てるようにして受枠７０の上端開口部を開くと共に、内蓋７４を取り外す。これによって、仮設トイレが使用可能となる。すなわち、図８に示す実施例では、受枠７０自体が和式便器として利用され、鉄蓋７２が金隠しとして利用される。
【００５４】
なお、図８に示す実施例では、受枠７０をそのまま和式便器として利用するだけでなく、受枠７０の上方に図１に示すような便器１００を据え付けることによって、洋式便器とすることもできる。また、全てを洋式または和式にする必要はなく、たとえば、洋式と和式とを半数ずつ設置してもよい。
【００５５】
さらに、上述の実施例では、桝本体６０の側壁下端部に流出口６２を設けた高さ調整桝１６を用いたが、高さ調整桝１６の構成は適宜変更可能である。たとえば、高さ調整桝１６は、その底壁に流出口が設けられたドロップ桝であってもよい。高さ調整桝１６をドロップ桝とすることは、排水管１４と公共桝１０４の接続部との落差（高低差）が大きい場合、たとえば６００ｍｍ以上の落差となる場合に有効である。また、高さ調整桝１６の流入口６４は、必ずしも桝本体６０に対する設置高さが変更可能とされる必要はない。
【００５６】
さらにまた、上述の実施例では、接着接合を用いて汚水桝１２の横管部２０と立上り管部２２とを一体化したが、汚水桝１２の製造方法および具体的構成は適宜変更可能である。
【００５７】
たとえば、図９および図１０に示すように、射出成形を用いて汚水桝１２全体を一体成形することもできる。図９に示す実施例の汚水桝１２では、切断可能部２２ａの最下位置２２ｂと横管部２０の天頂位置２０ａとの高低差ｈは、２０ｍｍである。このように、射出成形を用いて汚水桝１２全体を一体成形することによって、切断可能部２２ａの最下位置２２ｂをより低く設定できるようになるので、排水管１４をさらに浅埋設とすることができる。
【００５８】
また、汚水桝１２の横管部２０は、曲管状に形成することもできるし、９０°や１２０°等の角度で屈曲する屈曲管状に形成することもできる。また、汚水桝１２の横管部２０は、複数の流入口（拡径受口２８）が設けられる合流管状に形成することもできる。
【００５９】
さらに、上述の実施例では、５つの汚水桝１２を直線状に等間隔に並べて配置しているが、これは単なる例示であり、汚水桝１２の個数および配置態様などは、避難区域の広さ等に応じて適宜変更され得る。たとえば、汚水桝１２を曲線状に並べることもできる。また、汚水桝１２をＬ字状、Ｖ字状またはＹ字状などに並べることもできる。
【００６０】
また、上述の実施例では、マンション等の宅地内の空きスペースにシステム１０を施工するようにしたが、システム１０は、学校や公園などの他の場所にも施工可能である。
【００６１】
なお、上で挙げた寸法などの具体的数値は、いずれも単なる一例であり、製品の仕様などの必要に応じて適宜変更可能である。
【符号の説明】
【００６２】
１０  …仮設トイレシステム
１２  …汚水桝
１４  …排水管
１６  …高さ調整桝
１８  …給水タンク
２０  …横管部
２２  …立上り管部
２２ａ  …切断可能部
５４  …鉄蓋
７０  …受枠（和式便器）
１００  …便器（洋式便器）
１０２  …仮設小屋
１０４  …公共桝
１０６  …下水本管
【図１】
0006654823.tif 000002
【図２】
0006654823.tif 000003
【図３】
0006654823.tif 000004
【図４】
0006654823.tif 000005
【図５】
0006654823.tif 000006
【図６】
0006654823.tif 000007
【図７】
0006654823.tif 000008
【図８】
0006654823.tif 000009
【図９】
0006654823.tif 000010
【図１０】
0006654823.tif 000011